(57)【要約】【課題】本発明によれば、固定及び取り外しが十分に容易なタイル及びタイル取付構造が提供される。【解決手段】主板部１２、及び、主板部１２の周縁から折れ曲がって延びる側板部１４を備え、側板部１４の主板部１２とは反対側の縁１４ｅには、互いに対向する位置に一対の切欠１６ｂ、１６ｄが形成されたタイル１０である。【選択図】図１
2011094420.tif 000002
【特許請求の範囲】
【請求項１】
主板部、及び、前記主板部の周縁から折れ曲がって延びる側板部を備え、前記側板部における前記主板部とは反対側の縁には、互いに対向する位置に一対の切欠が形成されたタイル。
【請求項２】
前記一対の切欠同士を結ぶ方向から見て、前記一対の切欠は、前記側板部の縁に平行な方向における一端側にそれぞれ形成され、かつ、前記切欠における開放端よりも、前記切欠の先端が、前記一端側に近くなるようにそれぞれ傾斜して形成されている請求項１記載のタイル。
【請求項３】
前記主板部の平面形状が正方形であり、
前記側板部は、前記主板部の互いに対向する２辺にそれぞれ設けられた第一側板部及び第三側板部と、前記主板部の互いに対向する他の２辺にそれぞれ設けられた第二側板部及び第四側板部と、を有し、
前記第一側板部及び前記第三側板部に対して前記一対の切欠が形成されると共に、第二側板部及び第四側板部にも前記一対の切欠が形成された請求項１又は２記載のタイル。
【請求項４】
前記主板部の表面が曲面とされた請求項１〜３の何れか記載のタイル。
【請求項５】
前記主板部及び前記側板部は、樹脂により一体に形成されている請求項１〜４の何れか記載のタイル。
【請求項６】
請求項１〜５の何れか記載のタイルと、前記タイルの前記一対の切欠に係合する突起と、を備えたタイル固定構造。
【請求項７】
前記突起は、水平方向に延在する凸条である請求項６記載のタイル固定構造。
【請求項８】
前記突起がその表面に設けられると共に、前記突起と係合した前記タイルと対向する板を備え、
前記板には、前記タイルの下部と対向する位置に凹部が形成された請求項６又は７に記載のタイル固定構造。
【発明の詳細な説明】
【技術分野】
【０００１】
本発明は、タイル、及び、タイル取付構造に関する。
【背景技術】
【０００２】
従来より、左官工事等をすることなく固定部材に対して着脱可能に固定できるタイルが知られている（例えば、特許文献１参照）。
【先行技術文献】
【特許文献】
【０００３】
【特許文献１】特開２００２−２７６１２１号公報
【発明の概要】
【発明が解決しようとする課題】
【０００４】
ところで、タイルの表面にそれぞれ色やデザインを与え、これらのタイルを壁等に適切に配置して固定するによって全体として美観を与えることができる。この場合、デザインの模様替えを容易に行なうためには、タイルを容易に壁等に固定でき、かつ、必要に応じて容易に取り外せることが望まれる。また、タイル自体に色やデザインが無い場合であっても、例えば、タイル自体に脱臭機能や調湿機能等がある場合には、当該機能が劣化した場合にタイルの取替えを容易とすべく、タイルを容易に壁等に固定でき、かつ、容易に取り外せることが望まれる。
【０００５】
しかしながら、従来のタイルは、固定及び取り外し共に必ずしもそれほど容易ではなかった。
【０００６】
本発明は上記課題に鑑みてなされたものであり、固定及び取り外しが十分に容易なタイル及びタイル取付構造を提供することを目的とする。
【課題を解決するための手段】
【０００７】
本発明にかかるタイルは、主板部、及び、主板部の周縁から折れ曲がって延びる側板部を備える。そして、側板部における主板部とは反対側の縁には、互いに対向する位置に一対の切欠が形成されている。
【０００８】
本発明にかかるタイルによれば、側板部に設けられた一対の切欠を、壁等に設置された係合部材と係合させることにより、タイルを容易に壁等に固定できる。このとき、切欠が一対形成されているので、２箇所の係合によりタイル安定して固定できる。また、一対の切欠が、側板部の主板部とは反対側の縁にそれぞれ形成されているので、係合及び係合の解除の際に、タイルを、タイルの主板部に対して直交する方向、又は、主板部に対して斜めとなる方向に移動させればよく、従来のように、タイルの主板と平行な方向に移動させる必要が無い。したがって、タイルがマトリクス状に上下左右に近接して配置されている場合であっても、所望のタイルの着脱が容易となる。
【０００９】
ここで、一対の切欠同士を結ぶ方向から見て、一対の切欠は、側板部の縁に平行な方向における一端側にそれぞれ形成され、かつ、切欠における開放端よりも、切欠の先端が、一端側に近くなるようにそれぞれ傾斜して形成されていることが好ましい。
【００１０】
これによれば、切欠を傾斜せずに縁に対して垂直に形成した場合に比べて、タイルを鉛直に延びる板上に固定した場合の安定性が向上する。
【００１１】
また、主板部の平面形状が正方形であり、側板部は、主板部の互いに対向する２辺にそれぞれ設けられた第一側板部及び第三側板部と、主板部の互いに対向する他の２辺にそれぞれ設けられた第二側板部及び第四側板部と、を有し、第一側板部及び第三側板部に対して一対の切欠が形成されると共に、第二側板部及び第四側板部にも一対の切欠が形成されることが好ましい。
【００１２】
これによれば、タイルを、主板部に直交する軸周りに９０°回転させた状態でも固定させることができ、よりデザイン性を高めることができる。
【００１３】
また、主板部の表面が曲面とされることが好ましい。これにより、複数のタイルをマトリクス状に並べることにより表面にうねりが出てデザイン性に優れる。
【００１４】
また、主板部及び側板部は、樹脂により一体に形成されていることが好ましい。このようなタイルは、低コストに製造が可能である。
【００１５】
本発明にかかるタイル固定構造は、上述のタイルと、タイルの一対の切欠に係合する突起と、を備える。
【００１６】
ここで、突起は、水平方向に延在する凸条であることが好ましい。これにより、水平方向に並べて複数のタイルを固定することが容易である。
【００１７】
また、突起がその表面に設けられると共に、突起と係合したタイルと対向する板を備え、板には、タイルの下部と対向する位置に凹部が形成されることが好ましい。これにより、タイルが他のタイルに周りを囲まれていても、タイルの取り外しがより一層容易である。
【発明の効果】
【００１８】
本発明によれば、固定及び取り外しが十分に容易なタイル及びタイル取付構造が提供される。
【図面の簡単な説明】
【００１９】
【図１】第１実施形態に係るタイルを示す斜視図である。
【図２】図１のタイルの裏面側の斜視図である。
【図３】図１のタイルの側面図である。
【図４】図１のタイルを多数マトリクス状に固定部材に対して固定した状態を示す図である。
【図５】（ａ）は図４の背板の垂直断面図、（ｂ）は（ａ）にタイルが係合した状態の垂直断面図、（ｃ）は（ｂ）の上体からタイルを外す状況を示す垂直断面図である。
【図６】第二実施形態に係るタイルを示す斜視図である。
【発明を実施するための形態】
【００２０】
以下、添付図面を参照しながら、本発明に係る好適な実施形態について詳細に説明する。
【００２１】
（第１実施形態）
図１は、第１実施形態に係るタイルを示す斜視図である。タイル１０は、主として、主板部１２、及び、側板部１４を備える。
【００２２】
主板部１２は、平面視で正方形状の板である。主板部１２の表面には、正方形の重心１２ｐに比べ、正方形の一の対角線上にある一対の角部１２ｉ，１２ｊが凹み、他の一の対角線上にある角部１２ｋ、１２ｌが凸になるようになだらかな曲面が形成されている。
【００２３】
主板部１２の正方形の大きさは特に限定されないが、例えば、一辺の長さが５〜３０ｃｍ程度とすることができる。
【００２４】
主板部１２の４つの周縁からは、−Ｚ方向に折れ曲がって延びる第一側板部１４ａ、第二側板部１４ｂ、第三側板部１４ｃ、第四側板部１４ｄが設けられている。側板部１４ａ〜１４ｄは、隣接する側板部とそれぞれ連結されていて、筒状の側板部１４を形成している。側板部１４のＺ方向の厚みも特に限定されないが、最薄部で３〜６０ｍｍ、最厚部で５〜１００ｍｍとすることができる。
【００２５】
側板部１４の主板部１２から離れた側の縁１４ｅは、同一平面（ＸＹ平面）上に形成されている。
【００２６】
そして、側板部１４の縁ｅには切欠１６ａ，１６ｂ，１６ｃ，１６ｄが形成されている。詳しくは、互いに対向する第一側板部１４ａ及び第三側板部１４ｃには、互いに対向する位置に、それぞれ、切欠１６ａ及び切欠１６ｃが形成されている。また、互いに対向する第二側板部１４ｂ及び第四側板部１４ｄには、互いに対向する位置に、それぞれ、切欠１６ｂ及び切欠１６ｄが形成されている。
【００２７】
切欠１６ｂ及び切欠１６ｄは、これらの切欠１６ｂ、１６ｄを結ぶ方向、すなわち、第二側板部１４ｂに対して垂直な方向（Ｘ方向）から見て（図３参照）、縁１４ｅに沿う方向（±Ｙ方向）において、側板部１４ｂ（１４ｄ）の一端１４ｂｅ側（図３では＋Ｙ方向側）に偏ってそれぞれ設けられている。さらに、切欠１６ｂ、１６ｄにおける開放端１６ｂｔ、１６ｄｔよりも、切欠１６ｂ、１６ｄの先端１６ｂｓ、１６ｄｓが、一端１４ｂｅ側に近くなるようにそれぞれ切欠１６ｂ、１６ｄが傾斜して形成されている。
【００２８】
また、図１、図２に示すように、切欠１６ａ、１６ｃも、切欠１６ａ，１６ｃを結ぶ方向（Ｙ方向）から見て、側板部１４ａ，１４ｃにおける縁１４ｅに沿う方向の一端側（＋Ｘ側）にそれぞれ偏って設けられ、切欠の向きも＋Ｘ側に傾斜している。
【００２９】
これらの切欠における、縁１４ｅに対する傾斜角度θｔ（図３参照）は特に限定されないが、５〜８５°が好ましく、１０〜８０°がより好ましく、２０〜７０℃がより一層好ましく、３０〜６０°がさらにより一層好ましく、４０〜５０°が最も好ましい。なお、θｔは９０°でも実施可能である。また、切欠における縁１４ｅに沿う幅Ｗｔも特に限定されないが、３〜５０ｍｍとすることができる。切欠における縁１４ｅに直交する長さＬｔも特に限定されないが、２〜５０ｍｍとすることができる。
【００３０】
このようなタイル１０の材料は特に限定されず、ＰＶＣ（ポリビニルクロライド）、ＰＰ（ポリプロピレン）、ＰＥ（ポリエチレン）、ＡＢＳ（アクリロニトリル−ブタジエン−スチレン共重合）、ＰＭＭＡ（ポリメタクリル酸メチル）、ＰＣ（ポリカーボネート）、ＰＡ（ポリアミド）、ＰＯＭ（ポリオキシメチレン）、ＰＥＴ（ポリエチレンテレフタレート）、ＰＳ（ポリスチレン）、ＡＳ（アクリロニトリル−スチレン共重合体）等の樹脂及びこれらの混合樹脂、木、鉄、アルミニウム、ステンレス等の金属、紙、ガラス、陶器（セラミクス）等々が挙げられる。特に、樹脂が好ましく、一体に容易に成形できて好ましい。
【００３１】
（固定構造）
つづいて、このようなタイル１０の固定構造１００について図４、５を参照して説明する。
【００３２】
この固定構造１００は、上述のタイル１０と、固定板２８とを有する。固定板２８は、矩形板状の背板２０と、背板２０の中央部２０ａを露出させると共に背板２０の周辺部を覆う化粧枠２６と、背板２０の中央部２０ａ上に配置されて横方向に延びる凸条（突起）２２とを備える。
【００３３】
背板の中央部２０ａは、タイル１０を縦方向、及び、横方向にそれぞれ複数配置して、タイル１０によるマトリックスを形成できる広さとされている。
【００３４】
水平方向に延びるレール状の凸条２２は、上下方向に複数配置されている。この凸条２２は、図５の（ａ）に示すように、背板２０から上方に傾斜して突出している。凸条２２の形状は、タイル１０の切欠と係合可能な形状とされている。具体的には、例えば、凸条２２の傾斜角度θｓは、タイル１０の切欠の傾斜角度θｔと同じとされている。凸条２２の突出長さＬｓも、タイル１０の切欠の長さＬｔと同じとされている。凸条２２の幅Ｗｓは、タイル１０の幅Ｗｔよりも小さくされている。
【００３５】
そして、図４及び図５の（ｂ）に示すように、この凸条２２に、一部のタイル１０の一対の切欠１６ｂ、１６ｄが係合され、これによりタイル１０が背板２０に対して固定されている。また、図４に示すように、他の一部のタイル１０は、タイル１０の一対の切欠１６ｃ、１６ａが凸条２２に係合され、これによりタイル１０が背板２０に対して固定されている。そして、一対の切欠１６ｂ、１６ｄで固定されるタイル１０と、一対の切欠１６ｃ、１６ａで固定されるタイル１０とが、水平方向にも交互に、上下方向にも交互に配置されることにより、タイル全体の表面に、タイル２枚の長さの周期で周期的に波立つうねり形状が表現される。
【００３６】
さらに、背板２０の中央部２０ａには、図４及び図５の（ｂ）に示すように、タイル１０の下部と対向する部分に凹部２４が形成されている。そして、タイル１０を外す場合には、図５の（ｃ）の矢印Ａに示すように、タイル１０の下部を指等で凹部２４に向かって押すことにより、凹部２４の上縁を支点としてタイル１０の上部が図５の（ｃ）の矢印Ｂのように水平方向を軸に回転して切欠１６ｂ、１６ｄが凸条２２から外れて容易に係合が解除される。
【００３７】
本実施形態に係るタイル１０及び固定構造１００によれば、主板部１２、及び、主板部１２の周縁から折れ曲がって延びる側板部１４を備え、側板部１４の主板部１２とは反対側の縁１４ｅには、互いに対向する位置に一対の切欠１６ｂ、１６ｄ等が形成されている。これにより、側板部１４に設けられた一対の切欠１６ｂ、１６ｄを、壁等に設置された凸条２２と係合させることにより、タイル１０を容易に壁等に固定できる。このとき、切欠１６ｂ、１６ｄが一対形成されているので、２箇所の係合によりタイル１０を安定して固定できる。また、一対の切欠１６ｂ、１６ｄが、側板部１４の主板部１２とは反対側の縁１４ｅにそれぞれ形成されているので、係合及び係合の解除の際に、タイル１０を、主板部１２に対して直交する方向、又は、主板部１２に対して斜めとなる方向に移動させればよく、従来のように、タイル１０の主板部１２と平行な方向（図１ではＹ方向）に移動させる必要が無い。したがって、タイル１０がマトリクス状に上下左右に近くに配置されている場合であっても、所望のタイル１０の着脱が容易となる。
【００３８】
また、図３に示すように、一対の切欠１６ｄ、１６ｂ同士を結ぶ方向（Ｘ方向）から見て、一対の切欠１６ｂ、１６ｄは、側板部１４の縁１４ｅに平行な方向における一端（１４ｂｅ）側にそれぞれ形成され、かつ、切欠１６ｂ、１６ｄにおける開放端１６ｂｔ、１６ｄｔよりも、切欠１６ｂ、１６ｄの先端１６ｂｓ、１６ｄｓが、一端（１４ｂｅ）側に近くなるようにそれぞれ傾斜して形成されているので、タイル１０を鉛直に延びる背板２０上に固定した場合の安定性が向上する。
【００３９】
さらに、主板部１２の平面形状が正方形であり、第一側板部１４ａ及び第三側板部１４ｃに対して一対の切欠１６ａ，１６ｃが形成されると共に、第二側板部１４ｂ及び第四側板部１４ｄにも一対の切欠１６ｂ、１６ｄが形成されているため、タイル１０を、主板部１２に直交する軸周りに９０°回転させてもタイル１０を固定させることができ、よりデザイン性を高めることができる。
【００４０】
さらに、背板２０には、タイル１０の下部と対向する位置に凹部２４が形成されているので、タイル１０の取り外しも特に容易となっている。
【００４１】
（第二実施形態）
続いて、本発明の第二実施形態について図６を参照して説明する。本実施形態に係るタイル１０が、第１実施形態と異なるのは主板部１２が曲面でなく平面となっている点である。このようなタイル１０でも、第１実施形態と同様の作用効果を奏する。
【００４２】
本発明は上記実施形態に限定されず様々な変形態様が可能である。
【００４３】
例えば、主板部１２の表面形状は種々の形態とすることができる。また、タイル１０ごとに色彩を替えたりすることにより、複数のタイルにより全体としてデザインを描くことができ、また、タイルに文字や記号を書くことにより、メッセージを表示させたり、言語の学習用教材として使用することもできる。
【００４４】
また、上記実施形態では、一対の切欠を２組、合計で４つの切欠を有しているが、タイルが無地の場合等、タイルを回転させて固定させる必要がない場合には、一対の切欠のみを有してもよい。側板部も、筒状である必要はなく、例えば、第一側板部１４ａ及び第三側板部１４ｃの一対のみでも良い。
【００４５】
また、主板部の平面形状も正方形に限定されず、正６角形、正８角形等も可能であり、さらに、正多角形でなくても、矩形、円形等にすることもできる。
【００４６】
また、上記実施形態では、主板部１２及び側板部１４は、一体に形成されているが、別体となっていてもよい。
【００４７】
さらに、切欠と係合する突起として、水平方向に延在する凸条を採用しているが、各切欠と係合可能であればこれに限られず、例えば、各切欠と個別に係合するリング状の突起等を採用できる。
【００４８】
また、背板２０の凹部２４がなくても実施可能であることは言うまでも無い。
【００４９】
さらに上記実施形態では、切欠は傾斜しているが、傾斜していなくても実施は可能であり、切欠の形状も突起と係合できれば特に限定されない。
【符号の説明】
【００５０】
１０…タイル、１２…主板部、１４…側板部、１４ａ…第一側板部、１４ｂ…第二側板部、１４ｃ…第三側板部、１４ｄ…第四側板部、１４ｅ…縁、１６ａ，１６ｂ，１６ｃ，１６ｄ…切欠、１６ｂｔ、１６ｄｔ…切欠の開放端、１６ｂｓ、１６ｄｓ…切欠の先端、２０…背板（板）、２２…凸条（突起）、２４…凹部、１００…固定構造。
【図１】
2011094420.tif 000003
【図２】
2011094420.tif 000004
【図３】
2011094420.tif 000005
【図４】
2011094420.tif 000006
【図５】
2011094420.tif 000007
【図６】
2011094420.tif 000008